(57)【要約】【課題】データ放送を視聴する場合、記録済みのデータ放送、最新のデータ放送のいずれでもユーザが選択して視聴できるようにする。【解決手段】記録装置により記録媒体から読み出されたコンテンツが再生されているとき、データ放送再生の指示が与えられたとき、調査部で（１）現在再生中のコンテンツを取得した放送チャンネルで、現在データ放送が行なわれているかどうか、（２）現在選択されているチャンネルでデータ放送が行なわれているかどか、（３）現在再生中のコンテンツにデータ放送のデータが含まれているかどうか、のいずれか１つ又は複数を調査し、表示部に表示し、操作入力を受け付けることで、選択された項目のデータ放送のデータを再生する。【選択図】      図１
2008011397.tif 000002
【特許請求の範囲】
【請求項１】
デジタルチューナと、
前記デジタルチューナで受信され、選択されたコンテンツを記録媒体に記録する記録再生部と、
前記記録再生部で再生されたコンテンツを表示データに変換するデータ処理部と、を有し、
前記記録媒体から読み出されたコンテンツが再生されているとき、データ放送再生の指示が与えられたとき、
少なくとも、現在再生中のコンテンツを取得した放送チャンネルで、現在のデータ放送が行なわれているかどうかを調査する調査部と、
上記の調査結果を表示部に出力する通知部と、
前記表示部に表示された調査結果に対する操作入力を受け付けるインターフェース処理部と、
前記現在のデータ放送が行なわれている場合、前記操作入力に応じて、当該データ放送データを前記データ処理部で再生させる再生制御部と、
を有することを特徴とするデータ放送再生装置。
【請求項２】
前記調査部は、さらに、現在選択されているチャンネルでデータ放送が行なわれているかどうかも調査することを特徴とする請求項１記載のデータ放送再生装置。
【請求項３】
前記調査部は、さらに、
現在選択されているチャンネルでデータ放送が行なわれているかどうか、
現在再生中のコンテンツにデータ放送のデータが含まれているかどうか、
も調査することを特徴とする請求項１記載のデータ放送再生装置。
【請求項４】
前記調査部は、
（１）現在再生中の録画コンテンツを取得したチャンネルで、現在データ放送が行なわれているかどうか
（２）現在選択されているチャンネルでデータ放送が行なわれているかどうか
（３）現在再生中の録画コンテンツにデータ放送データが含まれるかどうか
の調査を行ない、
前記通知部は、上記（１）、（２）、（３）の各項目の調査結果を前記表示器に表示し、
前記インターフェース処理部は、前記（１）又は（２）の項目のデータ放送が選択され再生されるときは、データ放送が現在放送中のものであることをコメントとして表示し、前記（３）の項目のデータ放送が選択され再生されるときは、データ放送が録画された日付をコメントとして表示することを特徴とする
請求項１記載のデータ放送再生装置。
【請求項５】
デジタルチューナと、前記デジタルチューナで受信され、選択されたコンテンツを記録媒体に記録する記録再生部と、前記記録再生部で再生されたコンテンツを表示データに変換するデータ処理部と、システム制御部を有し、前記制御部は、
前記記録媒体から読み出されたコンテンツが再生されているとき、データ放送再生の指示が操作部から与えられたとき、
（１）現在再生中の録画コンテンツを取得したチャンネルで、現在データ放送が行なわれているかどうか
（２）現在選択されているチャンネルでデータ放送が行なわれているかどうか
（３）現在再生中の録画コンテンツにデータ放送データが含まれるかどうか
の調査を行ない、
上記（１）、（２）、（３）の各項目の調査結果を前記表示器に表示し、いずれかの項目の選択を促すようにした
ことを特徴とするデータ放送再生方法。
【請求項６】
前記（１）又は（２）の項目のデータ放送が選択され再生されるときは、データ放送が現在放送中のものであることをコメントとして表示し、前記（３）の項目のデータ放送が選択され再生されるときは、データ放送が録画された日付をコメントとして表示する
ことを特徴とする請求項５記載のデータ放送再生方法。
【発明の詳細な説明】
【技術分野】
【０００１】
この発明は、データ放送再生装置及び方法に関するもので、放送番組を記録媒体に録画し、また録画番組を再生する記録再生装置とデジタル放送信号受信チューナが一体化した装置に適用して有効である。
【背景技術】
【０００２】
デジタル放送においては、１つのチャンネルの中に複数のトランスポートストリームを含むことが可能である。またストリームの中にデータ放送用のパケットを含むことが可能である。トランスポートストリーム内のサービス情報には、どのようなストリームが送られてきているのかを示す情報が含まれる。
【０００３】
上記のデジタル放送を受信するチューナと記録装置とが一体化されたデジタル放送受信機が開発されている（例えば特許文献１）。この文献では、放送波受信状態と、録画再生状態とを判別し、それぞれの場合に参照する視聴者データを、異なる領域のものを使用している。視聴者データは、データ放送に関連する視聴者の氏名、電話番号、クイズ番組に対する応答などの情報であり、通信網を介して、放送事業者に送信されるデータである。
【特許文献１】特開２００５−６５１５２号
【発明の開示】
【発明が解決しようとする課題】
【０００４】
上記の記録装置付デジタル放送受信機では、選局チャンネルのトランスポートストリームから、さらにパケットエレメンタリーストリーム（コンテンツと称する）を分離し、その記録を行うことができる。このときストリームの中にデータ放送のパケットが含まれていた場合、このデータ放送パケットも同時に記録される。
【０００５】
したがって、記録装置付デジタル放送受信機では、上記ストリームを再生しているとき、「データ放送再生」が指示されると、データ放送パケットのデータもデコードして再生することが可能である。
【０００６】
ところでデータ放送は、その内容がたとえばクイズ問題集であったり、天気予報であったり、最新のニュースであったりする。このために、コンテンツを記録装置で記録し、その数日後コンテンツを再生し、この中に含まれるデータ放送データを再生した場合、最新の天気予報、最新のニュースを視聴することはできない。
【０００７】
そこでこの実施の形態では、データ放送を視聴する場合、記録済みのデータ放送、最新のデータ放送のいずれでもユーザが選択して視聴できるようにしたデータ放送再生装置及び方法を提供することを目的とする。
【課題を解決するための手段】
【０００８】
この発明の一実施の形態では、記録装置により記録媒体から読み出されたコンテンツが再生されているとき、データ放送再生の指示が与えられたとき、
少なくとも、現在再生中のコンテンツを取得した放送チャンネルで、現在のデータ放送が行なわれているかどうかを調査する調査部と、
上記の調査結果を表示部に出力する通知部と、
前記表示部に表示された調査結果に対する操作入力を受け付けるインターフェース処理部と、
前記現在のデータ放送が行なわれている場合、このデータ放送を選択決定した前記操作入力に応じて、当該データ放送データを前記データ処理部で再生させる再生制御部と、を有する。
【発明の効果】
【０００９】
上記の手段によると、データ放送が存在したときは、現在再生しているコンテンツに関連したチャンネルで放送されている最新のデータ放送を視聴することができる。つまり、録画したデータ放送の属性あるいは趣向と同じ可能性が高い最新のデータ放送を視聴することができる。
【発明を実施するための最良の形態】
【００１０】
以下、図面を参照しながらこの発明の実施の形態を説明する。図１はこの発明が適用されている受信装置である。
【００１１】
この装置は、大きく分類すると、衛星放送受信チューナ１１、地上デジタル放送チューナ１２などのデジタルチューナを有する。またデジタルチューナで受信され選択されたコンテンツを記録・再生する記録再生部６０を有する。そして、録再生部６０で再生されたコンテンツを表示データに変換するデータ処理部２０を有する。また、システム制御部５１を有する。
【００１２】
図１では、ハードディスクドライバ６３が示されており、記録媒体としてハードディスクを取り扱うことができる装置として示しているが、ＤＶＤなどの光ディスクとハードディスクの双方を取り扱うことができる装置であってもよい。この場合は光ディスクドライバ６５が設けられる。ハードディスクあるいはＤＶＤなどの光ディスクは例えば半導体メモリによる記録媒体などに置換されてもよい。
【００１３】
この装置は、衛星放送用チューナ１１、地上波デジタル放送用チューナ１２、地上アナログ放送用チューナ１３、などを搭載し、各種の放送信号を受信することができる。また外部入力部１４も備える。選択及び復号処理部２１は、チューナ及び外部入力部１４からの信号を選択して導出する。デジタル放送信号が処理されるときは、トランスポートストリームが導出される。
【００１４】
２２はトランスポートストリームデコーダ（以下ＴＳデコーダと記す）であり、選択されたストリームからパケットエレメタリーストリームを選択する。そしてこのストリームからパケットの分離などを行なう。制御パケットはシステム制御部５１に導入されて解析される。システム制御部５１は、制御パケット内のデータを解析し、送られてきたストリーム内データの属性などを把握する。
【００１５】
またパケット内のデータで、復調されたビデオデータ、オーディオデータは、それぞれ、ビデオデータ処理部２３、オーディオデータ処理部２５に入力される。また、データ放送のデータ、そのほか付加データがあった場合は、付加データ処理部２４に送出される。
【００１６】
アナログ放送信号であって、トランスポートストリームの形を取らないビデオ信号及びオーディオ信号は、選択及び復調処理部２１でデジタル化され直接、ビデオデータ処理部２３、オーディオデータ処理部２５に入力される。
【００１７】
映像出力処理部２６は、表示器２７の表示能力に応じてビデオデータを処理し、またビデオデータに付加データ処理部２４からの付加データを合成する。このように得られたビデオ信号が表示器２７に供給される。オーディオデータ処理部２５の出力は、スピーカシステム２８に供給される。
【００１８】
次に、記録装置にコンテンツが記録される場合の動作を説明する。デジタル放送により送られてきたコンテンツは、ＴＳデコーダ２２で分離されてエンコーダ６１に入力される。エンコーダ６１では、コンテンツが、所定のフォーマット（例えばＨＤ  ＤＶＤ規格）に変換される。エンコーダ６１は、バッファメモリ（図示せず）を利用している。
【００１９】
このフォーマット化されたコンテンツは、記録再生処理部６２でランレングスリミテッド処理、エラー訂正コード（ＥＣＣ）処理を施し、ハードディスクドライバ６３に供給される。
【００２０】
ハードディスクドライバ６３、光ディスクドライバ６５があった場合、変調信号がいずれのディスクドライバ６３，６５に入力されるかは、制御部５１からのコマンドに応じて切り替えらえる。なお、ディスクドライバ６３、６５は、それぞれハードディスク、光ディスクに対する回転制御系、レーザ駆動系、光学系などを有する。
【００２１】
ハードディスクドライバ６３において、ハードディスクから読み出された信号は、記録再生処理部６２のＥＣＣ処理部でエラー訂正処理、ＲＬＬ処理部でＲＬＬ規則の解除が行なわれ、デコーダ６４に入力される。今、コンテンツがデジタル放送信号を記録したものであれば、このコンテンツは、一旦、ＴＳデコーダ２２に戻される。ＴＳデコーダ２２の以後の処理は先に説明した通りである。
【００２２】
ビデオデータ処理部２３のデジタルビデオ信号、付加データ処理部２４の付加データ、及びオーディオデータ処理部２５のデジタルオーディオデータ、をエンコーダ６１に供給してもよい。この種の信号が、エンコーダ６１においてエンコードされ、ハードディスクに記録され、次に再生されたときは、デコーダ６４のデコード出力がビデオデータ処理部２３、付加データ処理部２４及びオーディオデータ処理部２５に戻される。
【００２３】
デコーダ６４では、例えばＤＶＤフォーマットのコンテンツが、パケット分離され、オーディオストリーム、ビデオストリームなどに分離される。オーディオストリームは、ＰＣＭ方式の復調処理、或いはＭＰＧ方式の復調処理を施される。ビデオストリームは、例えばＭＰＥＧ２方式の復調処理を施される。
【００２４】
付加データ処理部２４では、付加データ（たとえばデータ放送のデータ、クローズドキャプションデータなど）が処理される。
【００２５】
制御部５１は、マイクロコンピュータを含み、この記録装置の各ブロックを統括して制御する。
【００２６】
制御部５１は、ネットワークインターフェース（図示せず）を介して、外部ネットワークに接続することが可能である。これにより、外部のサーバーから電子番組案内情報（ＥＰＧ：Dynamic Electronic Program Guide）を取り込むことも可能である。
【００２７】
この制御部５１は、ＥＰＧ情報処理部（番組案内情報のテーブルを有する番組案内情報処理部）５１１、チューナなどを制御する選局処理制御部５１２を有する。また基本的な制御手段として、この制御部５１は、記録処理制御部５１３、再生処理制御部５１４を含む。また表示処理制御部５１５を含む。表示処理制御部５１５は、ユーザの操作に応じてグラフィックユーザインタフェースとなる画面を出力する。またリモートコントローラ５５からの操作信号、さらにはキー入力部からの操作信号を処理する操作入力処理部５１６も有する。これにより記録、再生、削除、選局、チャンネル選択などの操作信号を入力することができる。データ放送の再生操作信号などを入力することもできる。
【００２８】
特に、この制御部５１は、データ放送出力制御部５２０を含み、この制御部５２０に関連する動作は、後でさらに詳しく説明する。
【００２９】
特にこのデータ放送出力制御部５２０は、さらに、調査部５２ａと、調査部５２ａの調査結果を、表示処理部５１５を介して表示部２７に出力する通知部５２ｂを有する。また表示部２７に表示された調査結果に対する操作入力を受け付けるインターフェース処理部５２ｃを有する。またインターフェース処理部５２ｃが受け取った操作入力に応じて、例えば、現在のデータ放送が行なわれている場合、当該データ放送データをデータ処理部で再生させる再生制御部５２ｄを有する。
【００３０】
さらに制御部５１は、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。また装置の各ブロックを統括して制御するために必要な各種の情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。また制御部１５１は、録画を実行する際の管理情報の制御部と、編集を実行する際の管理情報制御部も備える。
【００３１】
図２は、先に説明したデータ放送のデータを含むコンテンツが、例えばハードディスクに記録され、例えば数日後に、当該コンテンツが再生されるときの動作例を示している。
【００３２】
録画コンテンツの再生が開始される（ステップＳＡ１）。この再生の途中で、ユーザがリモートコントローラ５５を操作し、データ放送の再生指示を行なったとする（ステップＳＡ２）。なお、今再生中のコンテンツはデータ放送のデータを含むものとして説明する。
【００３３】
すると、調査部が機能し、
（１）現在再生中の録画コンテンツを取得したチャンネルで、現在データ放送が行なわれているかどうか？
（２）現在選択されているチャンネルでデータ放送が行なわれているかどうか？
（３）現在再生中の録画コンテンツにデータ放送データが含まれるかどうか？
の調査を行なう（ステップＳＡ３）。ここで、調査の結果、いずれのケースもデータ放送のデータを再生可能であるとして説明する。すると、再生可能なデータ放送があるか判定され（ステップＳＡ４）、通知部により、再生可能なデータ放送の情報を、表示器２７を介してユーザに通知する。
【００３４】
ユーザは、表示器２７を見て、リモートコントローラ５５を操作し、所望の項目を選択し、決定キーを操作する。すると、インターフェース処理部が、ユーザが再生を望むデータ放送を選択したことを判定し、再生制御部に５２ｄは、選択されたデータ放送の再生を実行させる（ステップＳＡ８）。
【００３５】
なおステップＳＡ２において、データ放送再生指示がなければ、録画コンテンツの再生を続行する。またステップＳＡ４において、調査結果、再生可能なデータ放送がない場合には、通知部がこのことをユーザに通知し、ステップＳＡ１に戻る。またステップＳＡ７において、ユーザがデータ放送の再生を一定時間指定しなかった場合、或いは、積極的にキャンセル操作を行った場合は、ステップＳＡ１に戻りコンテンツの再生を続行する。さらにステップＳＡ９において、データ放送が終了した場合には、ステップＳＡ１に戻る。またここで、変更キーが操作された場合には、ステップＳＡ６に戻り、再生可能なデータ放送を表示する。
【００３６】
図３（Ａ）にはステップＳＡ６において、表示器２７に再生可能なデータ放送がメニュー表示された例を示している。（１）、（２）、（３）のいずれかのマークをユーザはリモートコントローラ５５を操作し、カーソルを介して選択する。今、（１）、（２）のいずれかが選択され、データ放送の再生が開始されたとすると、図３（Ｂ）に示すように“データ放送はＬＩＶＥ”ですというような字幕が一定時間現れる。また（３）が選択されたときは、図３（Ｃ）に示すように“データ放送は、何月何日放送された録画データです”というような字幕が一定時間現れる。
【００３７】
上記のようにこの装置では、調査部５２ａが
（１）現在再生中の録画コンテンツを取得したチャンネルで、現在データ放送が行なわれているかどうか
（２）現在選択されているチャンネルでデータ放送が行なわれているかどうか
（３）現在再生中の録画コンテンツにデータ放送データが含まれるかどうか
の調査を行ない、
前記通知部５２ｂが、上記（１）、（２）、（３）の各項目の調査結果を前記表示器に表示する。
【００３８】
そしてインターフェース処理部５２ｃが、前記（１）又は（２）の項目のデータ放送が選択され再生されるときは、データ放送が現在放送中のものであることをコメントとして表示し、前記（３）の項目のデータ放送が選択され再生されるときは、データ放送が録画された日付をコメントとして表示する。
【００３９】
これにより、この装置によると簡単な操作で、過去の情報と、現時点での情報を取得・選択する機会が視聴者に提供されることになる。即ち、項目（３）のデータ放送のデータが存在し、ユーザが過去のデータ放送（過去の天気予報など）を視聴したいときは、このデータ放送の再生を指示することができる。また、項目（１）又は（２）のデータ放送が存在し、ユーザが最新のデータ放送（例えば時々刻々と変化する台風情報、株価情報など）を視聴したいときは、このデータ放送の再生を指示することができる。また、項目（１）のデータ放送が存在したときは、現在再生しているコンテンツのチャンネルで放送されている最新のデータ放送を視聴することができる。このことは、データ放送の属性あるいは趣向が、録画したデータ放送の属性あるいは趣向と同じ可能性が高い。
【００４０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４１】
【図１】この発明が適用された装置のブロック構成を示す図である。
【図２】図１の装置の動作例を示すフローチャートである。
【図３】図１の装置の表示器の表示例を示す図である。
【符号の説明】
【００４２】
１１…衛星放送受信チューナ、１２…地上デジタル放送受信チューナ、１３…地上アナログ放送受信チューナ、１４…外部入力端子、２１…選択及び復号処理部、２２…ＴＳデコーダ、２３…ビデオデータ処理部、２４…付加データ処理部、２５…オーディオデータ処理部、２７…表示器、５１…システム制御部。
【図１】
2008011397.tif 000003
【図２】
2008011397.tif 000004
【図３】
2008011397.tif 000005